(57)【要約】【課題】  外壁開口部に固定される支持枠と、この支持枠に連結される主窓枠とを水密に連結することができる窓枠およびこれを備えた窓を提供することを課題とする。【解決手段】  外壁開口部Ａに固定される捨て枠（支持枠）３と、この捨て枠３に連結される主窓枠４とを備えると共に、主窓枠４と捨て枠３との間にシール介設部９８，１１５を構成し、シール介設部９８，１１５にシール部材９９，１１６を介設した窓枠において、シール介設部９８，１１５は、主窓枠４および捨て枠３の、少なくとも下枠２２，７２同士の間に構成した下枠介設部９８および両縦枠２３，７３同士の間に構成した両縦枠介設部１１５とから成り、且つ下枠介設部９８および両縦枠介設部１１５は見込み方向において略同一位置に配設されている。【選択図】  図１
2005016296.tif 000002
【特許請求の範囲】
【請求項１】
外壁開口部に固定される支持枠と、この支持枠に連結され、かつ障子が装着される主窓枠とを備えると共に、
前記主窓枠と前記支持枠との間にシール介設部を構成し、前記シール介設部にシール部材を介設して、前記主窓枠と前記支持枠とを水密に連結した窓枠において、
前記シール介設部は、前記主窓枠および前記支持枠の、少なくとも下枠同士の間に構成した下枠介設部および両縦枠同士の間に構成した両縦枠介設部とから成り、
且つ前記下枠介設部および前記両縦枠介設部は前記見込み方向において略同一位置に配設されていることを特徴とする窓枠。
【請求項２】
前記支持枠は、四周に亘って外壁仕上げ材により押さえられる外壁係合片部を有していることを特徴とする請求項１に記載の窓枠。
【請求項３】
前記外壁係合片部の基端には、前記外壁係合片部を前記支持枠から切り欠くための切欠き溝が形成されていることを特徴とする請求項２に記載の窓枠。
【請求項４】
前記支持枠は、上枠および両縦枠のうち少なくとも１つの枠に、巻き込み施工される外壁仕上げ材の端部を見切る外壁見切り片部と、
前記外壁見切り片部の基部外面に取り付けた外壁下地材と、を有することを特徴とする請求項１から請求項３のいずれかに記載の窓枠。
【請求項５】
前記シール介設部は、前記シール部材を挟んで見込み方向に対面する、前記主窓枠に形成した主窓枠連結片部と前記支持枠に形成した支持枠連結片部とにより構成されていることを特徴とする請求項１から請求項４のいずれかに記載の窓枠。
【請求項６】
前記主窓枠連結片部は、前記主窓枠の見込み方向中間部において見付け方向外側に鍔状に延在していることを特徴とする請求項５に記載の窓枠。
【請求項７】
前記主窓枠は、前記主窓枠連結片部が外壁見切り片部である半外付けの窓枠を転用したものであり、
前記主窓枠連結片部の屋内側に設けたスペーサブロックを介して外壁開口部に取り付けられていることを特徴とする請求項６に記載の窓枠。
【請求項８】
前記主窓枠連結片部のうちの上枠および両縦枠に形成された主窓枠連結片部は、前記支持枠連結片部の屋内側に対向して配設され、前記主窓枠連結片部のうちの下枠の主窓枠連結片部は、前記支持枠連結片部の屋外側に対向して配設されことを特徴とする請求項５から請求項７のいずれかに記載の窓枠。
【請求項９】
前記支持枠の屋外側には、窓付属部材が設けられていることを特徴とする請求項１から請求項８のいずれかに記載の窓枠。
【請求項１０】
請求項１から請求項９のいずれかに記載の窓枠と、この窓枠を構成する主窓枠に装着した障子とを備えたことを特徴とする窓。
【発明の詳細な説明】
【技術分野】
【０００１】
本発明は、外壁開口部に固定される支持枠と、この支持枠に連結され、かつ障子が装着される主窓枠とを備えた窓枠およびこれを備えた窓に関するものである。
【背景技術】
【０００２】
この種の従来の窓枠として、引違い障子を設けた主窓枠にシャッタ用のレール枠を組み込んだものが、知られている（特許文献１参照）。この場合、主窓枠の屋外側には、外壁仕上げ材と水密に係合する外壁見切り片が設けられており、この外壁見切り片の内側にレール枠を装着するようになっている。
【０００３】
【特許文献１】特開平１１−１３１９１５号公報（第３頁、図１）
【発明の開示】
【発明が解決しようとする課題】
【０００４】
このような、従来の窓枠（窓）では、主窓枠の外壁係合片の形状により、アタッチメント的なレール枠はその形状に制約を受ける。このため、このレール枠に代えて装飾等を目的とした捨て枠を設ける場合には、捨て枠に外壁係合片を設けることが好ましい。しかし、このようにすると捨て枠と主窓枠との間のシールが問題となる。
【０００５】
本発明の目的は、外壁開口部に固定される支持枠と、この支持枠に連結される主窓枠とを高水密に連結することができる窓枠およびこれを備えた窓を提供することにある。
【課題を解決するための手段】
【０００６】
本発明の窓枠は、外壁開口部に固定される支持枠と、この支持枠に連結され、かつ障子が装着される主窓枠とを備えると共に、主窓枠と支持枠との間にシール介設部を構成し、シール介設部にシール部材を介設して、主窓枠と支持枠とを水密に連結した窓枠において、シール介設部は、主窓枠および支持枠の、少なくとも下枠同士の間に構成した下枠介設部および両縦枠同士の間に構成した両縦枠介設部とから成り、且つ下枠介設部および両縦枠介設部は見込み方向において略同一位置に配設されていることを特徴とする。
【０００７】
この構成によれば、主窓枠と支持枠（捨て枠）との間に構成したシール介設部が、少なくとも下枠同士の間に構成した下枠介設部および両縦枠同士の間に構成した両縦枠介設部とから成り、且つ下枠介設部および両縦枠介設部は見込み方向において略同一位置に配設されているため、シール部材は、見込み方向の略同一位置で且つ見付け方向から見て「Ｕ」字状に連続する。このため、シール部材を簡単に施工することができると共に、シール部材を無理なく配置することができ、そのシール性を十分に発揮させることができる。なお、上枠同士の間にシール介設部を形成し、これにシール部材を介設してもよい。
【０００８】
この場合、支持枠は、四周に亘って外壁仕上げ材により押さえられる外壁係合片部を有していることが、好ましい。
【０００９】
この構成によれば、外壁仕上げ材と支持枠の外壁係合片部とを水密に係合させることができると共に、支持枠の形状や外壁の構造により、外壁係合片部と外壁仕上げ材との係合部分の構造を、自在に選択することができる。
【００１０】
これらの場合、外壁係合片部の基端には、外壁係合片部を支持枠から切り欠くための切欠き溝が形成されていることが、好ましい。
【００１１】
この構成によれば、切欠き溝の部分で外壁係合片部を切り欠くことにより、外壁開口部の見込み寸法が大きい場合にも、これに対応させて支持枠の施工が可能になる。
【００１２】
これらの場合、支持枠は、上枠および両縦枠のうち少なくとも１つの枠に、巻き込み施工される外壁仕上げ材の端部を見切る外壁見切り片部と、外壁見切り片部の基部外面に取り付けた外壁下地材と、を有することが好ましい。
【００１３】
この構成によれば、外壁見切り片部の見付け寸法が大きい場合であっても、外壁仕上げ材の巻き込み施工を適切且つ容易に行うことができる。
【００１４】
これらの場合、シール介設部は、シール部材を挟んで見込み方向に対面する、主窓枠に形成した主窓枠連結片部と捨て枠に形成した支持枠連結片部とにより構成されていることが、好ましい。
【００１５】
この構成によれば、主窓枠の主窓枠連結片部と、支持枠の支持枠連結片部とが見込み方向に対面するため、この対面間隙（シール介設部）にシール部材を介設することで、シール部材を適切に挟持でき、主窓枠と支持枠との間のシール性を向上させることができる。
【００１６】
この場合、主窓枠連結片部は、主窓枠の見込み方向中間部において見付け方向外側に鍔状に延在していることが、好ましい。
【００１７】
そして、この場合、主窓枠は、主窓枠連結片部が外壁見切り片部である半外付けの窓枠を利用したものであり、主窓枠連結片部の屋内側に設けたスペーサブロックを介して外壁開口部に取り付けられていることが、好ましい。
【００１８】
これらの構成によれば、生産個数が極端に多く且つ最も製品種別の多い半外付けの窓枠を主窓枠に利用することで、既存の主窓枠と、障子と共に種別の異なる窓枠、或いは障子と共に機能の異なる主窓枠等を、自由に選択して交換することができる。
【００１９】
また、主窓枠連結片部のうちの上枠および両縦枠に形成された主窓枠連結片部は、支持枠連結片部の屋内側に対向して配設され、主窓枠連結片部のうちの下枠の主窓枠連結片部は、支持枠連結片部の屋外側に対向して配設されていることが、好ましい。
【００２０】
この構成によれば、シール部材を挟んで見込み方向に対面する主窓枠連結片部と支持枠連結片部との対面方向が、上および縦枠部分と下枠部分とで反対になっているので、水密性能上重要な窓枠の下部における主窓枠連結片部が支持枠の縦および下枠の支持枠連結片部に挟持されることとなり、これらの間に設けられたシール部材に押圧力が作用するため、シール性をさらに十分に発揮させることができる。
【００２１】
また、支持枠の屋外側には、窓付属部材が設けられていることが、好ましい。
ここで、窓付属部材としては、支持枠の下枠に設ける水切り部材や、支持枠の上枠に設ける庇部材、ロールスクリーン用ボックス、シャッターボックス、支持枠の縦枠に設ける面格子等が例示できる。そして、これらの窓付属部材は、支持枠に一体に形成されていてもよく、また支持枠と別体に形成した部材を取り付けて構成されたものでもよい。
この構成によれば、支持枠に窓付属部材を設けることで、種別の異なる主窓枠を採用した場合でも、窓付属部材の形態や取付方法を変更する必要がなく、窓付属部材を共通化して部品点数を削減することができる。
【００２２】
本発明の窓は、上記したいずれかの窓枠と、この窓枠を構成する主窓枠に装着した障子とを備えたことを特徴とする。
【００２３】
この構成によれば、製品種別や機能種別の異なる複数種の窓（主窓枠および障子）と、製品種別や機能種別の異なる複数種の支持枠とを、選択的に組み合わせることができる。すなわち、水密性を維持しつつ、バリエーションに富んだ複合的サッシを構成することができる。
【発明の効果】
【００２４】
以上のように、本発明の窓枠によれば、主窓枠と支持枠との間に介設されるシール部材を無理なく配置することができ、そのシール性を十分に発揮させることができるため、外壁開口部に固定される支持枠と障子が装着される主窓枠とを高水密に連結することができる。
【００２５】
また本発明の窓によれば、高い水密性を維持しつつ、バリエーションに富んだ複合的サッシを構成することができ、コストを抑えつつ個性的な窓を提供することができる。
【発明を実施するための最良の形態】
【００２６】
以下、添付図面を参照して、本発明の一実施形態に係る窓枠を適用した引違い窓について説明する。図１および図２に示すように、この引違い窓１は、外壁開口部Ａの屋内側に主窓部２を構成すると共に、屋外側にて外壁開口部Ａに固定される支持枠としての捨て枠３を設けたものである。主窓部２は、捨て枠３に連結される主窓枠４とこれに装着した引違い形式の障子５および網戸６とから成り、主窓枠４は、外壁開口部Ａの見込み内に収まるように配設されている。主窓枠４と捨て枠３とは、主窓部２の見込み方向中間位置で水密に連結されており、引違い窓１の窓枠を構成している。
【００２７】
主窓枠４は、最も生産個数の多い、いわゆる半外付けの窓枠をそのまま転用したものである。このため、これを外壁開口部Ａに適切に装着すべく、外壁開口部Ａの屋内側には四周に亘ってスペーサブロック７が設けられており、主窓枠４の屋内側半部はこのスペーサブロック７を枕にして、取り付けられている。また、屋内側の内装材Ｂとの見切り部分には、四周に亘ってサブブロック８が設けられており、主窓枠４の屋内側端部は、このサブブロック８にビス止めされている。そして、サブブロック８と内装材Ｂの端部とを覆うように、窓額縁９が取り付けられている。
【００２８】
主窓部２は、屋内側の見えがかり部分に樹脂材を組み込み且つ屋内外の中間に断熱材２４をサンドイッチ（下枠のみ）したものであり、屋内側の意匠性を考慮すると共に、屋内外間の断熱性を考慮したものである。そして、主窓部２は、主窓枠４に、屋外側の外障子５Ａ、屋内側の内障子５Ｂおよび網戸６を開閉自在に組み込んで構成されている。
【００２９】
主窓枠４は、アルミニウム形材の金属枠１１と、金属枠１１の屋内側に添設した樹脂製の装飾枠１２とで構成されている。すなわち、上枠、下枠および両縦枠から成る主窓枠４は、屋外側の金属枠１１と屋内側の装飾枠１２とで構成されている。特に詳細は図示しないが、内外各障子５Ａ，５Ｂは、アルミニウム形材の金属框と、金属框の屋内側に添設した樹脂製の装飾框と、これら框体に組み込んだ複層ガラス等のパネル体で構成されている。
【００３０】
金属枠１１は、金属上枠２１、金属下枠２２および左右の両金属縦枠２３，２３を方形に枠組みして構成されている。また、金属下枠２２は、中間に樹脂製の断熱材２４を挟んで外側金属下枠２２Ａと内側金属下枠２２Ｂとで構成されている。この場合、断熱材２４は、外側金属下枠２２Ａの屋内側端に設けたあり溝と内側金属下枠２２Ｂの屋外側端に設けたあり溝とにより、見込み方向の両端部を接合するようにして挟持されている。
【００３１】
金属上枠２１は、略水平に延びる金属上枠本体２７と、金属上枠本体２７から下垂した網戸上レール２８および外側上レール２９と、金属上枠本体２７の屋内側端から屈曲して延びる装飾枠取付部３０と、金属上枠本体２７の略中間位置から上方に延びると共にスペーサブロック７に添設した上連結片部３１とで一体に形成されている。また、金属上枠２１の外側上レール２９の位置から屋内端を越えて樹脂上カバー枠３３が設けられ、また樹脂上カバー枠３３の下面に金属カバー枠３４が設けられている。そして、抱き合わせるようにして垂設した樹脂上カバー枠３３の垂下片と金属カバー枠３４の垂下片とにより、下向きの内側上レール３５が形成されている。
【００３２】
外側金属下枠２２Ａは、段付き中空形状の金属下枠本体３７と、金属下枠本体３７から上方に延びる網戸下レール３８および外側下レール３９と、金属下枠本体３７の屋外側端から下垂する下向き掛止片部４０と、金属下枠本体３７の屋内側端から屈曲して延びる下水返し部４１と、下水返し部４１から上方に延びる内側下レール４２と、金属下枠本体３７の屋内側端から下垂した下連結片部４３と、で一体に形成されている。また、内側下レール４２の屋外側には、シールを取り付けるためのシール取付枠４５が設けられている。内側金属下枠２２Ｂは、内側下レール４２と対峙する下鉛直片４７と、上記のサブブロック８に固定される下水平片４８とで逆「Ｌ」字状に形成されている。
【００３３】
各金属縦枠２３は、見込み方向に延在する金属縦枠本体５０と、金属縦枠本体５０から内向き延びる外側折曲げ片５１および障子引寄せ片５２と、金属縦枠本体５０の屋外側端から外側に突出したＬ字掛止片部５３と、金属縦枠本体５０の見込み方向中間位置から内向き延びるシール取付け部５４と、金属縦枠本体５０の屋内側端部に設けたブロック突当て部５５と、金属縦枠本体５０の見込み方向中間位置から外向きに延びる縦連結片部５６と、で一体に形成されている。但し、内障子が当接する図示右側の金属縦枠２３では、障子引寄せ片５２が屋内側に寄った位置に形成され、且つ障子引寄せ片５２の近傍には仕切り片５７が形成されている。
【００３４】
このように構成された金属枠１１は、その上連結片部３１、下連結片部４３および両縦連結片部５６，５６が、見付け方向外側に鍔状に張り出しており、転用した半外付けの窓枠（主窓枠４）における本来の外壁係合片部であるが、実施形態のものは、この部分が捨て枠３との連結部位となる主窓枠連結片部を構成している。
【００３５】
一方、装飾枠１２は、装飾上枠６１、装飾下枠６２、両装飾縦枠６３，６３を方形に枠組みして構成されている。装飾上枠６１は、上記の樹脂上カバー枠３３と一体に形成されている。装飾下枠６２は、内側下レール４２から屋内側端までの内側金属下枠２２Ｂの上面を覆うように設けられている。また、図示左側の装飾縦枠６３は、見込み方向において、金属縦枠２３と重なるようしてシール取付け部４５の位置から屋内側端まで延設し、図示右側の装飾縦枠６３は、障子引寄せ片５２の位置から屋内側端まで延設している。
【００３６】
捨て枠３は、いずれもアルミニウムの押出し形材である捨て上枠（支持上枠）７１、捨て下枠（支持下枠）７２および両捨て縦枠（支持縦枠）７３，７３を四周枠組みして構成されている。捨て上枠７１は、水平に延在する捨て上枠本体（支持上枠本体）７６と、捨て上枠本体７６の屋外側端から上方に延びる上外壁係合片部７７と、捨て上枠本体７６の略中間位置から下垂する上外壁見切り片部７８と、捨て上枠本体７６の屋内側端から下方に延びる上枠連結片部７９と、で一体に形成されている。
【００３７】
上外壁見切り片部７８の上部には、屋外側に向かって突出するように係止突起８１が形成されており、この係止突起８１に外壁仕上げ材Ｃの下地となる上部下地ブロック８２が係止されている。すなわち、外壁仕上げ材Ｃは、上記の上外壁係合片部７７を押さえると共に上部下地ブロック８２を押さえ、上外壁見切り片部７８の位置まで内側に巻き込むように施工されている。上枠連結片部７９には、金属上枠２１の上連結片部３１が平行に対面しており、上枠連結片部７９の下部には、上連結片部３１を貫通して螺合するビス用のねじ込み凹部８３が形成されている。なお、詳細は後述するが、上外壁係合片部７７と捨て上枠本体７６との境界部分には、切欠き溝８４が形成されており、外壁仕上げ材Ｃの施工形態（巻込み形態）によりこの切欠き溝８４の部分から上外壁係合片部７７を切り欠き得るようになっている。
【００３８】
捨て下枠７２は、略水平に延在する捨て下枠本体（支持下枠本体）８７と、捨て下枠本体８７の屋外側端から前方に延びる水切り片部８８と、捨て下枠本体８７の屋外側端から下垂する下外壁係合片部８９と、捨て下枠本体８７の屋外側端から略横「Ｌ」字状に屋内側に延びる上向き掛止片部９０と、捨て下枠本体８７の屋内側端から略横「Ｔ」字状に延びる下枠連結片部９１と、で一体に形成されている。そして、この下枠連結片部９１がスペーサブロック７に位置決め状態で添設されている。なお、詳細は後述するが、下外壁係合片部８９と捨て下枠本体８７との境界部分には、切欠き溝９２が形成されており、外壁仕上げ材Ｃの巻込み形態によりこの切欠き溝９２の部分から下外壁係合片部８９を切り欠き得るようになっている。
【００３９】
下外壁係合片部８９は、外壁仕上げ材Ｃにより押さえられており、外壁仕上げ材Ｃは水切り片部８８の下面位置まで施工されている。上向き掛止片部９０の先端部は、鈎状に折り返されており、この部分が金属下枠２２の下向き掛止片部４０に掛止されている。下枠連結片部９１は、捨て下枠本体８７の屋内側端から斜め上方に突出するガイド部位９４と、捨て下枠本体８７の屋内側端から下方に「Ｌ」字状に延びる載置部位９５と、載置部位９５の屋内側端から上下方向に延在する連結鉛直部位９６と、連結鉛直部位９６の上部から屋外側に突出する突出部位９７と、を有している。
【００４０】
この場合、金属下枠２２の下連結片部４３は、下枠連結片部９１のガイド部位９４を案内にしてその載置部位９５に着座するようにして係止され、またこの状態で、下枠連結片部９１の連結鉛直部位９６と金属下枠２２の下連結片部４３とが突出部位９７の突出寸法分、間隙を存して対面している。すなわち、連結鉛直部位９６と下連結片部４３とにより下シール介設部９８が構成されており、この下シール介設部９８に捨て下枠７２と金属下枠２２とを水密にシールする下シール部材９９が介設されている。なお、図中の符号１００は、捨て下枠本体８７の上面に侵入した雨水を排水するための水抜き部材である。
【００４１】
各捨て縦枠７３は、見込み方向に延在する捨て縦枠本体（支持縦枠本体）１０３と、捨て縦枠本体１０３の屋外側端から見付け方向の外側に延びる縦外壁係合片部１０４と、捨て縦枠本体１０３の見込み方向の略中間位置から内側に延びる縦外壁見切り片部１０５と、捨て縦枠本体１０３の屋内側が端部から内側に延びる縦枠連結片部１０６と、で一体に形成されている。この場合も、縦外壁係合片部１０４と捨て縦枠本体１０３との境界部分には、切欠き溝１０８が形成されており、外壁仕上げ材Ｃの巻込み形態によりこの切欠き溝１０８の部分から縦外壁係合片部１０４を切り欠き得るようになっている。
【００４２】
ところで、図２に示すように、本実施形態の引違い窓１は、建物の入り隅部分に配設されている。このため、同図左側の捨て縦枠７３では、縦外壁係合片部１０４を切り欠くことなくそのまま用いる一方、右側の捨て縦枠７３では、縦外壁係合片部１０４を切り欠いて用いるようにしている。
【００４３】
すなわち、左側の捨て縦枠７３においては、縦外壁見切り片部１０５の基部寄りに、屋外側に向かって突出するように係止突起１０９が形成されており、この係止突起１０９に外壁仕上げ材Ｃの下地となる側部下地ブロック１１０が係止されている。この場合、外壁仕上げ材Ｃは、上記の外壁係合片部１０４を押さえると共に側部下地ブロック１１０を押さえ、縦外壁見切り片部１０５の位置まで内側に巻き込むように施工されている。これに対し、右側の捨て縦枠７３においては、切り欠かれた縦外壁係合片部１０４に代わって捨て縦枠本体１０３の屋外側略半部がその機能を奏するように、外壁仕上げ材Ｃは、捨て縦枠本体１０３の屋外側略半部を押さえると共に縦外壁見切り片部１０５の位置まで延在している。
【００４４】
すなわち、建物の入り隅等において、外壁仕上げ材Ｃが縦外壁見切り片部１０５（上外壁見切り片部７８でも同様）に、巻き込むことなく施工される場合には、側部下地ブロック（上部下地ブロック８２）１１０を省略するようにしている。なお、係止突起（係止突起８１）１０９に対し、側部下地ブロック（上部下地ブロック８２）１１０は、正面から装着する形態でもよいし、長手方向の小口からスライドさせるようにして装着する形態でもよい。また、側部下地ブロック（上部下地ブロック８２）１１０は、木材（角材）、樹脂材、金属材等で構成されることが、好ましい。
【００４５】
縦外壁見切り片部１０５の先端部には、鈎状に折り返されたＵ字掛止片部１１１が形成されており、この部分が金属縦枠２３のＬ字掛止片部５３に掛止されている。また、縦枠連結片部１０６には、金属縦枠２３の縦連結片部５６が平行に対面しており、縦枠連結片部１０６の基部側には、縦連結片部５６を貫通して螺合するビス用のねじ込み凹部１１２が形成され、先端側には、縦シール装着部１１３が形成されている。そして、この縦シール装着部１１３と金属縦枠２３の縦連結片部５６とが間隙を存して対峙している。すなわち、縦シール装着部１１３と縦連結片部５６とにより縦シール介設部１１５が構成されており、この縦シール介設部１１５に捨て縦枠７３と金属縦枠２３とを水密にシールする縦シール部材１１６が介設されている。
【００４６】
このように構成された捨て枠３は、その上枠連結片部７９、下枠連結片部９１および両縦枠連結片部１０６，１０６が、見付け方向内側に張り出しており、主窓部連結片部に対面する支持枠連結片部を構成している。そして、この下枠連結片部７９と金属枠１１の下連結片部４３との間に下シール介設部９８が構成され、且つ両枠連結片部１０６，１０６と金属枠１１の両縦連結片部５６，５６との間にそれぞれ縦シール介設部１１５，１１５が構成されている。この場合、下シール介設部９８と両縦シール介設部１１５とは、見込み方向において同位置に配設され、且つ屋内側（または屋外側）から見て「Ｕ」字状に連続している。すなわち、下シール介設部９８に装着した下シール部材９９と両縦シール介設部１１５，１１５に装着した両縦シール部材１１６，１１６とは、見込み方向において同位置にあって「Ｕ」字状に連続している。
【００４７】
このため、外壁開口部Ａに取り付けられる窓枠を、主窓枠４と捨て枠３とを連結して構成しても、下シール部材９９および両縦シール部材１１６，１１６から成るシール部材、すなわち「Ｕ」字状に連続するシール部材により、無理なく且つ安定にシールされる。したがって、窓枠を、屋内外２つの部材で構成しても、そのシール性が損なわれることがない。
【００４８】
ところで、本実施形態の基本コンセプトは、障子５を組み込んだ主窓枠４に半外付けの窓枠を汎用的に用い、これに形態の異なる複数種の捨て枠３を組み合わせて、バリエーションに富んだ引違い窓１を構成せんとするのである。そこで、主窓枠４に組み込む各種デザインの異なる捨て枠３および機能部品（窓付属部材）を組み込んだ捨て枠３について、以下に説明する。なお、捨て枠３は、屋外側に位置するため、外壁仕上げ材Ｃとの関係、すなわち見切り部分の納まりやデザインを考慮して、構成されている。
【００４９】
他の実施形態としての引違い窓１も、外壁開口部Ａの屋内側に主窓部２を構成すると共に、屋外側に捨て枠３を設けたものである。また、主窓部２は第１実施形態のものと全く同一のものであり、半外付けの窓枠をそのまま転用した主窓枠４と、これに装着した引違い形式の障子５および網戸６とで構成されている。主窓枠４は、外壁開口部Ａの見込み内に収まるように配設され、主窓枠４と捨て枠３とは、主窓部２の見込み方向中間位置で水密に連結されている。そこで、以降の説明では、主窓部２の説明は省略し、捨て枠３における第１実施形態と異なる部分について主に説明する。
【００５０】
図３および図４に示すように、第２実施形態における捨て枠（支持枠）３Ａは、外壁開口部Ａに対し捨て枠３Ａを、見込み方向の任意の位置に取り付け得るものである。言い換えれば、主窓部２を変えることなく、捨て枠３Ａを変えることにより広狭厚みの異なる外壁に対応させ得るようにしたものである。なお、第２実施形態の外壁は、第１実施形態の外壁に比して十分な厚みを有している。
【００５１】
両図に示すように、捨て上枠７１は、枕木的に設けた厚板１２１を介して外壁開口部Ａに取り付けられており、その上外壁係合片部７７は切り欠かれ且つ上外壁見切り片部７８の係止突起８１も切り欠かれている。そして、切り欠かれた上外壁係合片部７７に代わって捨て上枠本体７６の屋外側略半部がその機能を奏するように、外壁仕上げ材Ｃは、捨て上枠本体７６の屋外側略半部を押さえると共に上外壁見切り片部７８の位置まで巻き込んでいる。
【００５２】
一方、捨て下枠（支持下枠）７２Ａでは、その水切り片部８８の先端部が下側に折り返されたものとなっており、この折返し部位１２３に、前方に延在する延長水切り部材１２４の基部が固定されている。また、下外壁係合片部８９は切り欠かれており、外壁仕上げ材Ｃは、折返し部位１２３の位置まで延在している。同様に、各捨て縦枠（支持縦枠）７３Ａは、枕木的に設けた厚板１２６を介して外壁開口部Ａに取り付けられており、その縦外壁係合片部１０４は切り欠かれている。そして、切り欠かれた縦外壁係合片部１０４に代わって捨て縦枠本体１０３の屋外側略半部がその機能を奏するように、外壁仕上げ材Ｃは、捨て縦枠本体１０３の屋外側略半部を押さえると共に上外壁見切り片部１０５の位置まで巻き込んでいる。
【００５３】
図５に示すように、第３実施形態における捨て枠（支持枠）３Ｂは、第２実施形態と同様に、外壁開口部Ａに対し捨て枠３Ｂを、見込み方向の任意の位置に取り付け得るものであり、この場合には、捨て上枠７１Ａおよび捨て縦枠（図示省略）は、第２実施形態と同一の形態を有しており、捨て下枠（支持下枠）７２Ｂのみ異なるものとなっている。すなわち、捨て下枠７２Ｂは、別体に形成された主捨て下枠１２８と水切り部材１２９とで構成されている。
【００５４】
主捨て下枠１２８は、先端を金属下枠２２と面一に形成した本体水平片部１３１と、本体水平片部１３１の屋外側端から下方に屈曲した後、外壁開口部Ａに沿って屋外側に延びる水切り載置片部１３２と、本体水平片部１３１の見込み方向の略中間部から下垂した脚片部１３３と、本体水平片部１３１の屋内側端から略横「Ｔ」字状に延びる下枠連結片部９１と、で一体に形成されている。この場合、下枠連結片部９１は、第１および第２実施形態と同様の断面形状を有しているが、本実施形態の本体水平片部１３１は下枠連結片部９１のガイド部位９４の上端に連なっている。
【００５５】
水切り部材１２９は、基部側を水切り載置片部１３２に載置され、僅かに傾斜して前方に延びる部材本体１３５と、部材本体１３５の先端から下向きに延びる下向き片１３６と、部材本体１３５の基端部に設けた断面逆「コ」字状のビス打ち部１３７と、で一体に形成されている。すなわち、水切り部材１２９は、ビス打ち部１３７で主捨て下枠１２８にビス止めされ、この状態で、外壁開口部Ａに直接ビス止めされた主捨て下枠１２８の水切り載置片部１３２を、基部側で上側から押さえるようにして前方に延在している。
【００５６】
図６に示すように、第４実施形態における捨て枠（支持枠）３Ｃは、その捨て上枠（支持上枠）７１Ｃがロールスクリーン１４０用のボックス１４１を一体に有し、また捨て下枠（支持下枠）７２Ｃがウォールスルーの換気機構１４２を組み込んだ構造となっている。捨て上枠７１Ｃは、金属上枠２１に固定される中空部本体１４４と、中空部本体１４４の屋外側に連なるボックス部１４５と、ボックス部１４５の前端に取り付けた点検板１４６とで構成されている。すなわち、ボックス部１４５と点検板１４６とにより、ロールスクリーン１４０用のボックス１４１が構成されている。
【００５７】
中空部本体１４４は、屋内端の後部壁１４８が金属上枠２１の上連結片部３１が平行に対面しており、後部壁１４８に形成したねじ込み凹部８３に、上連結片部３１を貫通してビスが螺合し、金属上枠２１に捨て上枠７１Ｃが連結されている。ボックス部１４５は、ルーフ部壁１４９、背部壁１５０および下部壁１５１を有すると共に、背部壁１５０の上端からルーフ部壁１４９を越えて延長した上外壁係合片部７７と、背部壁１５０の前側に「Ｃ」字状に突設したブラケット支持片部１５２とを有している。
【００５８】
ブラケット支持片部１５２には、ロールスクリーン１４０の巻取り軸１５４が回転自在に軸支されたブラケット１５５が固定されている。また、ブラケット１５５の下端から延びるスクリーン受けプレート１５６が、下部壁１５１と点検板１４６との間に掛け渡されている。また、点検板１４６は、ルーフ部壁１４９の前端部に回動可能に掛止されており、上端部を中心に外側に開放できるようになっている。なお、図示しないが、ボックス部１４５の見付け方向両端部には、それぞれサイドキャップが装着されている。
【００５９】
捨て下枠７２Ｃは、略水平に延びる捨て下枠本体８７を天壁とする略方形の本体中空部１５８を有すると共に、本体中空部１５８の屋外側に添接した中空形状の水切り部材１５９を有している。また、本体中空部１５８の背面には内壁材Ｂを貫通して屋内側に開口した換気ダクト１６０が接続され、且つ換気ダクト１６０の屋内側開口部には換気扉ユニット１６１が連通している。一方、水切り部材１５９の前端部下面には、その中空部内に連通する防虫網１６２が設けられ、且つ水切り部材１５９および本体中空部１５８の各縦壁には換気ダクト１６０に連なる連通開口（図示省略）が形成されている。
【００６０】
すなわち、換気機構１４２を構成する防虫網１６２、水切り部材１５９の中空内部、本体中空部１５８の中空内部、換気ダクト１６０および換気扉ユニット１６１により屋内外が連通しており、換気扉ユニット１６１の開閉操作により適宜、ウォールスルーによる換気が行えるようになっている。
【００６１】
図７は、捨て枠（支持枠）３Ｄの第５実施形態を表しており、この実施形態の捨て上枠（支持上枠）７１Ｄは、第４実施形態と異なるロールスクリーン用のボックスを有している。捨て上枠７１Ｄは、水平に延在する捨て上枠本体７６の屋内側に設けた上枠連結片部７９により、金属上枠２１と連結されている。捨て上枠本体７６の前部には、この前部を天壁とする方形中空部１６５が形成され、また方形中空部１６５の前側には、この方形中空部１６５の前壁を含んで断面下向き「Ｃ」字状に形成したボックス部１６６が、一体に形成されている。さらに、方形中空部１６５の前壁の延長上には、上外壁係合片部７７が一体に形成されている。一方、ロールスクリーンはユニット化されており、このスクリーンユニット１６７は、主要部をボックス部１６６内に収容した状態で、ボックス部１６６の下壁に取り付けられている。
【００６２】
図８、図９および図１０は、それぞれ捨て枠（支持枠）３Ｅ，３Ｆ，３Ｇの第６、第７および第８実施形態を表している。第６実施形態の捨て上枠３Ｅは小型庇を、第７実施形態の捨て上枠は中型庇を、そして第８実施形態の捨て上枠は大型庇を、それぞれ有している。
【００６３】
図８に示すように、第６実施形態の捨て上枠（支持上枠）７１Ｅは、上枠部１７１と上枠部１７１の前端部に掛止した小型庇部１７２とで構成されている。上枠部１７１は、上記の第５実施形態と同様に、捨て上枠本体７６と、金属上枠２１と連結される上枠連結片部７９と、捨て上枠本体７６の前部を天壁とする方形中空部１７３が形成されている。方形中空部１７３の前壁は上方に延設され、この延説部分に上外壁係合片部７７が形成されている。また方形中空部１７３の前壁下部および上外壁係合片部７７には、それぞれ上向き掛止片１７４，１７４が突出形成されている。さらに、方形中空部１７３の下壁は前方に延設され、この延説部分に庇着座片１７５が形成されている。
【００６４】
一方、小型庇部１７２は、中空の庇形状を有しており、後面には、上記の上向き掛止片１７４に対応する上下一対の下向き係止片１７６，１７６が突出形成されている。小型庇部１７２は、庇シール部材１７７を介在させた状態で、この下向き係止片１７６を上枠部１７１の上向き掛止片１７４に掛止し、且つ基部側下面を庇着座片１７５に着座させると共にこの部分でビス止めして、取り付けられている。なお、図示しないが、小型庇部１７２の見付け方向両端部には、それぞれ小口キャップが設けられている。
【００６５】
図９に示すように、第７実施形態の捨て上枠（支持上枠）７１Ｆは、第６実施形態と同様に、上枠部１７１と上枠部１７１の前端部に掛止した中型庇部１７９とで構成されている。上枠部１７１は、第６実施形態の上枠部と全く同一の形態を有し、中型庇部１７９は第６実施形態の小型庇部１７２より一回り大型に形成されている。なお、この場合も、中型庇部１７９には、小口キャップが設けられている。
【００６６】
図１０に示すように、第８実施形態の捨て上枠（支持上枠）７１Ｇは、上枠部１８１と、上枠部１８１の前端に一体に連なる基端庇部１８２と、基部庇部１８２の前端部に掛止した先端庇部１８３とで構成され、基端庇部１８２および先端庇部１８３により大型の庇が構成されている。上枠部１８１は、捨て上枠本体７６を天壁とし、上枠連結片部７９を背面壁とする段付き中空形状に形成されている。
【００６７】
基端庇部１８２は、上枠部１８１と一体に形成されると共に、前下がりに傾斜した天壁１８５を有して中空形状に形成されている。基端庇部１８２の背面壁１８６は上方に延設され、この延説部分に上外壁係合片部７７が形成されている。基端庇部１８２の前面には、上下一対の上向き掛止片１８７，１８７が形成され、また、下壁を前方に延長するようにして庇着座片１８８が形成されている。一方、先端庇部１８３は、第７実施形態の中型庇部１７９と全く同一の形態を有しており、後面には、上下一対の下向き係止片１８９，１８９が形成されている。
【００６８】
先端庇部１８３は、庇シール部材１９０を介在させた状態で、この下向き係止片１８９を基端庇部１８２の上向き掛止片１８７に掛止し、且つ基部側下面を庇着座片１８８に着座させると共にこの部分でビス止めして、取り付けられている。なお、この場合も、基端庇部１８２および先端庇部１８３には、それぞれ小口キャップが設けられている。
【００６９】
図１１および図１２は、第１実施形態の引違い窓１に面格子２０１を組み込んで、いわゆる複合サッシ的な構成とした第９実施形態を表している。引違い窓１は、主窓部２と捨て枠（支持枠）３とで構成され、いずれも第１実施形態のものと同一形態を有している。面格子２０１、四周枠組みした格子枠２０２と、格子枠２０２に組み込んだ複数本の縦格子２０３と、格子枠２０２の側面に取り付けた片側２個、計４個の固定ブラケット２０４と、で構成されている。各固定ブラケット２０４は、断面クランク形状を有し、金属縦枠２３の屋外側端（外側折曲げ片５１）に突き当てた状態で、外壁仕上げ材Ｃの巻込み部分にビス止めされている。この場合、固定用のビス２０５は、外壁仕上げ材Ｃを貫通して側部下地ブロック１１０に螺合する長さとなっており、捨て縦枠７３まで達しない長さとなっている。
【００７０】
以上のように、捨て枠３として、外観デザインや日除け等の機能を有する複数種のものを用意し、汎用的な半外付けの窓（主窓部２）と組み合わせることにより、バリエーション豊かな引違い窓１を提供することができる。
【００７１】
次に、図１３および図１４に基づいて、第１０実施形態の引違い窓１について説明する。この実施形態の引違い窓１は、外壁開口部Ａに対し、外付け形式で主窓部２を構成すると共に、その外側に捨て枠（支持枠）３を設けたものである。またこの場合も、主窓部２は第１実施形態のものと全く同一のものであり、半外付けの窓枠をそのまま転用した主窓枠４と、これに装着した引違い形式の障子５および網戸６とで構成されている。なお、実施形態の屋内側は和室となっており、外壁開口部Ｃには、木質の明障子Ｄが取り付けられている。
【００７２】
第１０実施形態における捨て枠３は、その捨て上枠（支持上枠）７１の上外壁係合片部７７が、捨て上枠本体（支持上枠本体）７６を屋内側に延長した部分に設けられている。また、捨て下枠（支持下枠）７２は、金属下枠２２より僅かに外側に張り出すように形成されている。さらに、各捨て縦枠（支持縦枠）７３は、その縦外壁係合片部１０４が、縦枠本体１０３を屋内側に延長した部分に設けられている。
【図面の簡単な説明】
【００７３】
【図１】第１実施形態に係る引違い窓の縦断面図である。
【図２】第１実施形態に係る引違い窓の横断面図である。
【図３】第２実施形態に係る引違い窓の窓枠の縦断面図である。
【図４】第２実施形態に係る引違い窓の窓枠の横断面図である。
【図５】第３実施形態に係る引違い窓の窓枠の縦断面図である。
【図６】第４実施形態に係る引違い窓の窓枠の縦断面図である。
【図７】第５実施形態に係る引違い窓の窓枠の縦断面図である。
【図８】第６実施形態に係る引違い窓の窓枠上部の縦断面図である。
【図９】第７実施形態に係る引違い窓の窓枠上部の縦断面図である。
【図１０】第８実施形態に係る引違い窓の窓枠上部の縦断面図である。
【図１１】第９実施形態に係る引違い窓の窓枠の縦断面図である。
【図１２】第９実施形態に係る引違い窓の窓枠の横断面図である。
【図１３】第１０実施形態に係る引違い窓の縦断面図である。
【図１４】第１０実施形態に係る引違い窓の横断面図である。
【符号の説明】
【００７４】
１…引違い窓、２…主窓部、３，３Ａ，３Ｂ，３Ｃ，３Ｄ，３Ｅ，３Ｆ，３Ｇ…捨て枠（支持枠）、４…主窓枠、５…障子、６…網戸、７…スペーサブロック、１１…金属枠、２１…金属上枠、２２…金属下枠、２３…金属縦枠、３１…上連結片部、４３…下連結片部、５６…縦連結片部、７１，７１Ｃ，７１Ｄ，７１Ｅ，７１Ｆ，７１Ｇ…捨て上枠（支持上枠）、７２，７２Ａ，７２Ｂ，７２Ｃ…捨て下枠（支持下枠）、７３，７３Ａ…捨て縦枠（支持縦枠）、７７…上外壁係合片部、７９…上枠連結片部、８９…下外壁係合片部、９１…下枠連結片部、９８…下シール介設部、９９…下シール部材、１０４…縦外壁係合片部、１０６…縦枠連結片部、１１５…縦シール介設部、１１６…縦シール部材、１２９…水切り部材（窓付属部材）、１４１…ロールスクリーン用ボックス（窓付属部材）、１７２…小型庇部（窓付属部材）、１７９…中型庇部（窓付属部材）、Ａ…外壁開口部、Ｃ…外壁仕上げ材。
【図１】
2005016296.tif 000003
【図２】
2005016296.tif 000004
【図３】
2005016296.tif 000005
【図４】
2005016296.tif 000006
【図５】
2005016296.tif 000007
【図６】
2005016296.tif 000008
【図７】
2005016296.tif 000009
【図８】
2005016296.tif 000010
【図９】
2005016296.tif 000011
【図１０】
2005016296.tif 000012
【図１１】
2005016296.tif 000013
【図１２】
2005016296.tif 000014
【図１３】
2005016296.tif 000015
【図１４】
2005016296.tif 000016